(57)【要約】【課題】蓋体を閉めた状態では外部に水が漏れず、収容物の水切りを容易に行うことが可能な容器を提供する。【解決手段】容器１は、本体１１と蓋体１２と本体１１の内部を２つの空間に仕切る仕切部１３と蓋体１２に取り付けられる密封用枠１４とから構成される。仕切部１３には多数の孔が設けられており、第１の空間Ｓ１から第２の空間Ｓ２への水の流通を可能とする。蓋体１２には切り込みが入っており、蓋体１２の第１の開口部Ｏ１に対応する部分と第２の開口部Ｏ２に対応する部分とが、各々独立に開閉可能となっている。ユーザは第１の開口部Ｏ１から水の付着した石鹸を第１の空間Ｓ１に収容した後、蓋体１２の第１の開口部Ｏ１に対応する部分を閉じて水切りを行った後、蓋体１２の第２の開口部Ｏ２に対応する部分を開いて水を排出し、蓋体１２の第２の開口部Ｏ２に対応する部分を閉じた後、それらを持ち運ぶ。【選択図】図１
2011063295.tif 000002
【特許請求の範囲】
【請求項１】
水が付着した物を収容するための第１の空間を形成する第１の壁面群と、前記第１の空間に前記物を出し入れするために前記第１の壁面群に設けられた第１の開口部と、前記第１の空間に収容された前記物から分離された水を収容するための第２の空間を形成する第２の壁面群と、前記第２の空間に収容された水を排出するために前記第２の壁面群に設けられた第２の開口部とを有する本体と、
前記第１の空間と前記第２の空間とを仕切り、前記物が前記第１の空間から前記第２の空間に流通することを妨げつつ前記物から分離された水が前記第１の空間から前記第２の空間に流通することを可能とする１以上の通路を有する水切り用の仕切部と、
前記本体に開閉自在に取り付けられ、閉じた状態で前記第１の開口部と前記第２の開口部とを水密に封止可能な蓋体とを備える
容器。
【請求項２】
前記蓋体は、前記第１の開口部の開閉と前記第２の開口部の開閉とを各々独立に行うことが可能である
請求項１に記載の容器。
【請求項３】
前記第１の空間から前記第２の空間への水の流通を容易にするために、前記第１の空間の底部が前記第２の空間に向かって下降するように傾斜している
請求項１または２に記載の容器。
【請求項４】
前記第１の空間の底部は、前記物に付着した水の分離を容易にするために、複数の凹凸を有する
請求項１乃至３のいずれかに記載の水切り可能収容容器。
【請求項５】
前記物は石鹸であり、前記蓋体は前記第１の空間に対向する側の面に前記石鹸を泡立てるためのネットを保持するネット保持機構を有する
請求項１乃至４のいずれかに記載の容器。
【発明の詳細な説明】
【技術分野】
【０００１】
本発明は、例えば石鹸もしくは食品等を収容する容器に関する。
【背景技術】
【０００２】
石鹸を収容する容器としては、底部に水切り用の孔を有するとともに上面に開口部を有する本体と、その開口部を塞ぐ蓋体とを備えるものが多く用いられている。
【０００３】
また、例えばブルーベリー等の食品を収容する容器としては、上面に開口部を有する本体と、その開口部を密封するように塞ぐ蓋体とを備えるものが多く用いられている。そのような容器の一例として、特許文献１は、収容された物の水切りおよびその物の取り出しを簡便に可能とする容器を開示している。
【先行技術文献】
【特許文献】
【０００４】
【特許文献１】特開２００６−１９９３７２号公報
【発明の概要】
【発明が解決しようとする課題】
【０００５】
上述したような石鹸を収容する既存の容器は、洗面台や浴室等で使用することが想定されているため、仮に水に濡れた石鹸を収容して鞄等に入れて持ち運ぶと、底部の孔や本体と蓋体との隙間から水分が漏れ出し、鞄に入っている他の物を濡らす等の問題を引き起こす。そこで、ユーザは、石鹸を食品収容用の密封可能容器に入れて持ち運ぶ等の工夫をしている。しかし、この場合は、使用後の石鹸に付着した水を上手く切ることができず、持ち運んでいる間に容器の中で石鹸が水分を含み軟化し、型崩れを起こす等の問題がある。
【０００６】
また、食品の保存に関しては、例えばブルーベリー等は冷凍保存が望ましいが、洗った後に十分な水切りが行われないまま冷凍されると水分とともに凍ってしまい、互いにくっつきあって利用時に取り出しにくくなるとともに、傷んで味が悪くなってしまうという問題がある。そのような問題を簡易な手段で解決する容器は、未だに提供されていない。
【０００７】
そこで、本発明は、蓋体を閉めた状態では外部に水が漏れず、収容物の水切りを容易に行うことが可能な容器を提供することを目的とする。
【課題を解決するための手段】
【０００８】
本発明は、上記の目的に鑑みて想到されたものであり、
水が付着した物を収容するための第１の空間を形成する第１の壁面群と、前記第１の空間に前記物を出し入れするために前記第１の壁面群に設けられた第１の開口部と、前記第１の空間に収容された前記物から分離された水を収容するための第２の空間を形成する第２の壁面群と、前記第２の空間に収容された水を排出するために前記第２の壁面群に設けられた第２の開口部とを有する本体と、
前記第１の空間と前記第２の空間とを仕切り、前記物が前記第１の空間から前記第２の空間に流通することを妨げつつ前記物から分離された水が前記第１の空間から前記第２の空間に流通することを可能とする１以上の通路を有する水切り用の仕切部と、
前記本体に開閉自在に取り付けられ、閉じた状態で前記第１の開口部と前記第２の開口部とを水密に封止可能な蓋体とを備える
容器
を提供する（第１の実施態様）。
【０００９】
また、上記の第１の実施態様において、
前記蓋体は、前記第１の開口部の開閉と前記第２の開口部の開閉とを各々独立に行うことが可能である
構成を採用してもよい（第２の実施態様）。
【００１０】
また、上記の第１または２の実施態様において、
前記第１の空間から前記第２の空間への水の流通を容易にするために、前記第１の空間の底部が前記第２の空間に向かって下降するように傾斜している
構成を採用してもよい（第３の実施態様）。
【００１１】
また、上記の第１乃至３のいずれかの実施態様において、
前記第１の空間の底部は、前記物に付着した水の分離を容易にするために、複数の凹凸を有する
構成を採用してもよい（第４の実施態様）。
【００１２】
また、上記の第１乃至４のいずれかの実施態様において、
前記物は石鹸であり、前記蓋体は前記第１の空間に対向する側の面に前記石鹸を泡立てるためのネットを保持するネット保持機構を有する
構成を採用してもよい（第５の実施態様）。
【発明の効果】
【００１３】
本発明の第１の実施態様にかかる容器によれば、水が付着した物を収容するための第１の空間と当該物から分離した水を一時的に集めて外部に排出するための第２の空間とを有するので、例えば石鹸を当該容器に入れて持ち運び常に快適な状態で使用することができる。
【００１４】
また、本発明の第２の実施態様にかかる容器によれば、上述の蓋体が第１の開口部と第２の開口部とにおいて各々独立に開閉可能であるので、上述の物の出し入れおよび集めた水の排出を別個に行うことができ便利である。
【００１５】
また、本発明の第３の実施態様にかかる容器によれば、上述の第１の空間の底部が第２の空間に向かって下降するように傾斜しているので、収容されている物から分離した水を容易に第１の空間から第２の空間へと流通させることができる。
【００１６】
また、本発明の第４の実施態様にかかる容器によれば、上述の第１の空間の底部が複数の凹凸を有しているので、凹凸を有しない場合と比較して収容されている物が容器の底部に接する面積が狭くなり、容易に水を分離することができる。
【００１７】
また、本発明の第５の実施態様にかかる容器によれば、上述の蓋体が石鹸泡立て用のネットを保持するネット保持機構を有するので、当該ネットと石鹸とを別個に収容することが可能であり、持ち運ぶ際に当該ネットに石鹸が付着するという問題を防ぐことができる。
【図面の簡単な説明】
【００１８】
【図１】図１は、本発明の実施形態にかかる容器の外観図である。
【図２】図２は、本発明の実施形態にかかる容器の平面図である。
【図３】図３は、本発明の実施形態にかかる容器の下面図である。
【図４】図４は、本発明の実施形態にかかる容器の長手方向と平行な側面を表す側面図である。
【図５】図５は、本発明の実施形態にかかる容器を長手方向と平行な垂直面で切断した場合の断面図である。
【図６】図６は、本発明の実施形態にかかる容器の長手方向と垂直な側面を表す側面図である。
【図７】図７は、本発明の実施形態にかかる容器の仕切部の正面図である。
【図８】図８は、本発明の実施形態の一変形例にかかる容器の外観図である。
【図９】図９は、本発明の実施形態の一変形例にかかる容器の外観図である。
【発明を実施するための形態】
【００１９】
（実施形態）
以下、本発明の一具体例である実施形態を、図面を用いて説明する。なお、本実施形態は、石鹸を鞄等に入れて持ち運ぶための容器に本発明を適用したものである。
【００２０】
図１は、本実施形態にかかる容器１の外観図である。容器１は、本体１１と本体１１に開閉自在に取り付けられる蓋体１２と本体１１の内部を２つの空間に仕切る仕切部１３と蓋体１２に取り付けられる密封用枠１４とから構成される。
【００２１】
容器１のうち、本体１１、蓋体１２、および仕切部１３は例えば合成樹脂製であり、密封用枠１４は例えばシリコンゴム製である。また、容器１は、図１に示されるように、弁当箱状の概ね直方体形状を有している。
【００２２】
図２（ａ）、図２（ｂ）、および図２（ｃ）は各々、容器１の平面図、本体１１等の平面図、および蓋体１２の平面図である。また、図３（ａ）、図３（ｂ）、および図３（ｃ）は各々、容器１の下面図、本体１１の下面図、および蓋体１２等の下面図である。また、図４は、本実施形態にかかる容器１の長手方向と平行な側面を表す側面図である。なお、図４（ａ）、図４（ｂ）、および図４（ｃ）は各々、容器１の側面図、本体１１の側面図、および蓋体１２等の側面図である。また、図５は、本実施形態にかかる容器１を長手方向と平行な垂直面で切断した場合の断面図である。なお、図５（ａ）および図５（ｂ）は各々、本体１１等の断面図および蓋体１２等の断面図である。また、図６は、本実施形態にかかる容器１の長手方向と垂直な側面を表す側面図である。なお、図６（ａ）、図６（ｂ）、および図６（ｃ）は各々、容器１の側面図、本体１１の側面図、および蓋体１２の側面図である。
【００２３】
本体１１は、石鹸を収容するための第１の空間Ｓ１を形成する第１の壁面群と、第１の空間Ｓ１に上述の石鹸を出し入れするために上述の第１の壁面群に設けられた第１の開口部Ｏ１と、第１の空間Ｓ１に収容された上述の石鹸から分離された水を収容するための第２の空間Ｓ２を形成する第２の壁面群と、第２の空間Ｓ２に収容された水を排出するために上述の第２の壁面群に設けられた第２の開口部Ｏ２とを有する。
【００２４】
本体１１を構成する部材のうち、仕切部１３によって仕切られた位置から見て上述の石鹸を収容する側に存在する部分が上述の第１の壁面群である。そして、上述の第１の壁面群と仕切部１３とによって囲まれる空間が第１の空間Ｓ１であり、第１の空間Ｓ１の上面に設けられている開口部が第１の開口部Ｏ１である。第１の開口部Ｏ１は、上述の石鹸を容器１の外部から内部に入れるもしくは容器１の内部から外部に取り出すために設けられている。
【００２５】
上述の第１の壁面群のうち、第１の空間Ｓ１の下側の部分を第１の空間Ｓ１の底部と呼ぶことにする。第１の空間Ｓ１の底部は、第１の空間Ｓ１から第２の空間Ｓ２への水の流通を容易にするために、図５（ａ）に示されるように、第２の空間Ｓ２に向かって下降するように傾斜している。
【００２６】
なお、水の流通は第１の空間Ｓ１から第２の空間Ｓ２へのみ行われ、第２の空間Ｓ２から第１の空間Ｓ１へ水が逆戻りしないことが望ましいので、図５（ａ）に示されるように、第１の空間Ｓ１の底部は第２の空間Ｓ２の底部よりも段差を介して若干高い位置に設けられている。
【００２７】
また、第１の空間Ｓ１の底部の表面の形状は、図１および図２（ｂ）に示されるように、第１の空間Ｓ１から第２の空間Ｓ２へ向かう方向と垂直な方向に波打つように、すなわち波の稜線と谷線が第１の空間Ｓ１から第２の空間Ｓ２へ向かう方向と平行な方向になるように、構成されている。したがって、第１の空間Ｓ１の底部は、上述の石鹸を概ね複数の線状の狭い領域で支持することとなり、上述の石鹸に付着した水の分離が容易となる。なお、図２（ｂ）に示される第１の空間Ｓ１の底部における一点鎖線および破線は各々、波の稜線および谷線を表す。
【００２８】
本体１１を構成する部材のうち、仕切部１３によって仕切られた位置から見て上述の石鹸から分離された水を収容する側に存在する部分が上述の第２の壁面群である。そして、上述の第２の壁面群と仕切部１３とによって囲まれる空間が第２の空間Ｓ２であり、第２の空間Ｓ２の上面に設けられている開口部が第２の開口部Ｏ２である。第２の開口部Ｏ２は、第２の空間Ｓ２に収容された水を容器１の内部から外部に排出するために設けられている。
【００２９】
本体１１は、図２（ｂ）および図５（ａ）に示されるように、仕切部１３を第１の空間Ｓ１と第２の空間Ｓ２との境界位置に固定するためのスリットを構成するスリット構成部１１１を有している。スリット構成部１１１は、上述の第１の壁面群および第２の壁面群が本体１１の内側面の所定の位置から本体１１の内部に向かって２ミリメートル突出することにより形成されている。すなわち、スリット構成部１１１が構成するスリット内に配置された仕切部１３の両側からスリット構成部１１１が緩く挟むことにより、仕切部１３が容器１内に固定されるのである。
【００３０】
本体１１は、図１、図２（ｂ）等に示されるように、蓋体１２と係合するための第１の突起１１２を有している。第１の突起１１２は、上述の第１の壁面群および第２の壁面群における仕切部１３が配置されている位置に対応する外側面の位置の上部付近から外部に向かって延伸している。なお、第１の突起１１２は、例えばキノコ状の形状を有しており、本体１１の左右両側面に合計２つ設けられている。
【００３１】
本体１１は、図１、図２（ｂ）等に示されるように、蓋体１２と係合するための第２の突起１１３を有している。第２の突起１１３は、上述の第１の壁面群および第２の壁面群の外側面の所定の位置から外部に向かって延伸している。具体的には、第２の突起１１３は、本体１１の外側面において容器１の長手方向と垂直な部分を構成する左右各々の面の上部付近から、水平方向に細長い形状で例えば２ミリメートル程、外側に突出している。したがって、第２の突起１１３は２つある。
【００３２】
仕切部１３は、第１の空間Ｓ１と第２の空間Ｓ２とを仕切る板状のものであり、上述の石鹸から分離された水が第１の空間Ｓ１から第２の空間Ｓ２に流通することを可能とするために、図７に示されるように、通路、すなわち多数の小孔を有している。
【００３３】
上述の多数の小孔の各々は、第１の空間Ｓ１に収容されている上述の石鹸が第１の空間Ｓ１から第２の空間Ｓ２に流通することを許容しない程度の大きさである。なぜなら、上述の石鹸が第１の空間Ｓ１から抜け出して第２の空間Ｓ２に移動してしまっては、上述の石鹸から水を分離させて第２の空間Ｓ２に収容するという容器１の機能が果たせないからである。
【００３４】
蓋体１２は、概ね長方形状もしくは楕円形状の天井部分と本体１１の上部付近に係合する側面部分と後述するネット保持機構１２２とにより構成される。すなわち、蓋体１２の本体１１の上部付近に係合する側（裏側）を見ると、図３（ｃ）および図５（ｂ）に示されるように、上述の側面部分が本体１１と係合する向きに延伸しており、その側面部分から蓋体１２の内側に向かって概ね平板な上述の天井部分に連続している。
【００３５】
蓋体１２は、図５（ｂ）に示されるように、２つの第２の突起１１３と係合するための２つの凹み部１２３を上述の側面部分の内側において容器１の長手方向と垂直な左右各々の位置に有している。
【００３６】
蓋体１２は、図４（ａ）等に示されるように、２つの第１の突起１１２と係合するための係合部１２１を容器１の長手方向に平行な両側面に各々１つずつ有している。係合部１２１には、本体１１と係合する側に凹みが設けられており、蓋体１２と本体１１とが係着される際には、当該凹みに第１の突起１１２が嵌り込んで両者が固定されることになる。
【００３７】
係合部１２１の容器１の長手方向における両側には、切り込みが入っている。この切り込みがあることにより、図２（ａ）に示されるように、蓋体１２の第１の開口部Ｏ１に対応する部分（図２（ａ）に示される線Ａ１よりも右側の部分）と第２の開口部Ｏ２に対応する部分（図２（ａ）に示される線Ａ２よりも左側の部分）とが、各々独立に開閉可能となっている。
【００３８】
後述するように、第１の開口部Ｏ１および第２の開口部Ｏ２の開閉を独立に行うことが可能であるために、上述の石鹸の出し入れと当該石鹸から分離された水の排出とを各々別々に行うことができ、それによって本実施形態にかかる容器１の機能が果たされることになる。なお、石鹸の出し入れを行う際には図２（ａ）に示される線Ａ１よりも右側の部分が開閉され、水の排出を行う際には図２（ａ）に示される線Ａ２よりも左側の部分が開閉される。
【００３９】
蓋体１２における第１の空間Ｓ１に対向する面には、図３（ｃ）、図４（ｃ）等に示されるように、上述の石鹸を泡立てるためのネットを保持するネット保持機構１２２が設けられている。ネット保持機構１２２があることにより、水が付着した上述の石鹸と泡立て用のネットとを別々に収容することができ、結果として両者が水の付着した状態でくっつくことを防ぐことができる。
【００４０】
ネット保持機構１２２は、例えば上述のネットを挟み込んで保持することが可能な部材により構成される。具体的には、ネット保持機構１２２は、蓋体１２における上述の天井部分の第１の空間Ｓ１に対向する面と、当該面から延伸し最終的には当該面に向かう方向に伸びて上述のネットを当該面と一緒になって挟み込むことが可能な下側から見てコの字形状の突起とにより構成される。
【００４１】
密封用枠１４は、図３（ｃ）および図５（ｂ）に示されるように、蓋体１２の裏側における上述の側面部分の内側に沿うような、断面積が概ね正方形状の細長い枠状の形状を有している。密封用枠１４は、蓋体１２の所定の位置に配置されて、本体１１と蓋体１２とが係着する際に両者の間に位置し、当該両者を水密に封止することに寄与する。
【００４２】
以下、以上のような構成を有する本実施形態にかかる容器１の使用方法の一例について説明する。
【００４３】
先ず、密封用枠１４を取り付けた蓋体１２を用意し、ネット保持機構１２２に上述の泡立て用のネットを挟み込む。次に、石鹸を第１の空間Ｓ１に入れて、蓋体１２を本体１１に係着する。この際、２つの第１の突起１１２と２つの係合部１２１とが係合し、かつ２つの第２の突起１１３と２つの凹み部１２３とが係合することに注意する。
【００４４】
このような状態で、容器１を鞄等に入れて持ち運ぶ。そして、上述の石鹸を使用したい時に、容器１における第１の空間Ｓ１を有する側の第２の突起１１３と凹み部１２３との係合を解除して、蓋体１２における第１の開口部Ｏ１に対応する部分を上側に持ち上げて第１の開口部Ｏ１を開いた状態にする。この際、容器１における第２の空間Ｓ２を有する側の第２の突起１１３と凹み部１２３との係合は維持され、かつ２つの第１の突起１１２と２つの係合部１２１との係合も維持されることに注意する。
【００４５】
上述の石鹸を第１の開口部Ｏ１から取り出し、入浴時の洗浄等に使用する。この際、ネット保持機構１２２に保持されている上述の泡立て用のネットを取り出し、石鹸の泡立てに使用する。その後、ユーザは、石鹸および泡立て用のネットを水洗いする。そして、水が付着した石鹸を第１の開口部Ｏ１から容器１に収容し、同じく水が付着した泡立て用のネットはネット保持機構１２２に挟み込み、蓋体１２における第１の開口部Ｏ１に対応する部分を閉めて第２の突起１１３と凹み部１２３とを係合させる。
【００４６】
そして、今度は容器１における第２の空間Ｓ２を有する側の第２の突起１１３と凹み部１２３との係合を解除して、蓋体１２における第２の開口部Ｏ２に対応する部分を上側に持ち上げて第２の開口部Ｏ２を開いた状態にする。この際、容器１における第１の空間Ｓ１を有する側の第２の突起１１３と凹み部１２３との係合は維持され、かつ２つの第１の突起１１２と２つの係合部１２１との係合も維持されることに注意する。
【００４７】
この状態で、容器１を第２の開口部Ｏ２を下側にして手で持って振ることにより、石鹸および泡立て用のネットの水切りを行う。それにより、石鹸および泡立て用のネットから分離された水が遠心力もしくは慣性力で仕切部１３の通路を通過し、第２の空間Ｓ２を介して第２の開口部Ｏ２から外部に排出される。水の排出が終わったら、蓋体１１における第２の開口部Ｏ２に対応する部分を閉めて第２の突起１１３と凹み部１２３とを係合させる。
【００４８】
そして、この状態の容器１をまた鞄等に入れて持ち運ぶ。その際、容器１は上下が逆になったり斜めになったりしないように注意することが望ましい。そうすれば、第１の空間Ｓ１の底部は第２の空間Ｓ２に向かって下降するように傾斜しているので、さきほど排出し切れなかった水が仕切部１３の通路を通過して、第２の空間Ｓ２に収容されることになる。なおこの際、第１の空間Ｓ１の底部の表面が波状に形成されていることにより、上述の石鹸に付着した水の分離が容易となるのは、上述した通りである。さらに、第１の空間Ｓ１の底部が段差を介して第２の空間Ｓ２の底部よりも若干高い位置に設けられているため、第２の空間Ｓ２に収容される水が第１の空間Ｓ１に逆戻りしないことも上述した通りである。
【００４９】
以上のような使用手順により、容器１内の上述の石鹸は、付着していた水が分離されて第２の開口部Ｏ２から排出されもしくは第２の空間Ｓ２に収容されるため、水と一緒になって軟化した状態になることがない。したがって、容器１に収容された石鹸は、当該容器１のユーザにとって常に快適な状態で使用することができる。また、容器１は、本体１１と蓋体１２とが係着した状態では水密に封止されるので、鞄等に入れて持ち運ぶ際にも水が容器１から漏れて周りのものを濡らすことがない。
【００５０】
上述した実施形態は、本発明の技術的思想の範囲内で様々に変形可能である。
【００５１】
例えば、本体１１、蓋体１２、および仕切部１３は合成樹脂製であるとしたが、金属等の他の素材によって作られていてもよい。また、密封用枠１４はシリコンゴム製であるとしたが、これも他の素材によって作られていてもよい。
【００５２】
また、容器１は弁当箱状の概ね直方体形状を有しているとしたが、これは本発明を限定するものではない。
【００５３】
また、第１の空間Ｓ１の底部は第２の空間Ｓ２に向かって下降するように傾斜しているとしたが、特に問題がなければ傾斜はしていなくてもよい。
【００５４】
また、第１の空間Ｓ１の底部は段差を介して第２の空間Ｓ２の底部より若干高い位置に設けられるとしたが、特に問題がなければ当該段差はなくてもよい。
【００５５】
また、第１の空間Ｓ１の底部の表面は第１の空間Ｓ１から第２の空間Ｓ２へ向かう方向と垂直な方向に波打つように構成されているとしたが、水切りを良くするという目的から波状でなくとも複数の凹凸が第１の空間Ｓ１の底部の表面に設けられていればよい。また、特に問題がなければ、当該複数の凹凸は設けられなくてもよい。
【００５６】
また、仕切部１３は第１の空間Ｓ１から第２の空間Ｓ２への水の流通を容易にするために多数の小孔を有しているものとしたが、特に問題がなければ多数でなくとも少なくとも１以上の通路を有していればよい。また、第１の空間Ｓ１に収容される物が仕切部１３を通り抜けて第２の空間Ｓ２に移動するようなことがなければ、上述の通路はどのような形状もしくは大きさであってもよい。
【００５７】
また、本体１１には仕切部１３を固定するためのスリット構成部１１１が設けられるとしたが、仕切部１３を本体１１の適当な位置に固定することができれば、スリット構成部１１１以外の他の構成が用いられてもよい。例えば、仕切部１３を本体１１と一体として成形されてもよい。その場合、スリット構成部１１１は不要となる。また、スリット構成部１１１の形状もしくは大きさについても、上述の説明が本発明を限定するものではない。
【００５８】
また、本体１１には第１の突起１１２および第２の突起１１３が設けられ、蓋体１２には係合部１２１および凹み部１２３が設けられて、各々が係合して本体１１と蓋体１２とが係着されるものとしたが、本体１１と蓋体１２とが係着され容易に両者が分離しないという目的を果たすことができるならば、上述した構成以外の構成が用いられてもよい。例えば、本体１１の第１の突起１１２に代えてドーム形状の突起を設け、蓋体１２の係合部１２１に切り込みを入れる代わりにその内側にすり鉢形状の凹部を設け、本体１１のドーム形状の突起と蓋体１２のすり鉢形状の凹部とが互いに係合することにより本体１１と蓋体１２とが係着される構成が採用されてもよい。また、第１の突起１１２、第２の突起１１３、係合部１２１、もしくは凹み部１２３の形状もしくは大きさについても、上述の説明が本発明を限定するものではない。
【００５９】
また、蓋体１２は、概ね長方形状もしくは楕円形状の天井部分を有するものとしたが、この形状は本発明を限定するものではない。また、蓋体１２は、本体１１の上部付近に係合する側面部分を有し当該側面部分は本体１１と係合する向きに延伸しているものとしたが、当該側面部分の形状についても、上述の説明が本発明を限定するものではない。
【００６０】
また、蓋体１２は、本体１１に係着した状態で第１の開口部Ｏ１と第２の開口部Ｏ２とにおいて各々独立に開閉可能であるとしたが、後述する変形例１で述べるように特に問題がなければ各々独立に開閉可能でなくてもよい。
【００６１】
また、第２の開口部Ｏ２は、第２の空間Ｓ２の上面に設けられるものとしたが、後述する変形例２で述べるように第２の開口部Ｏ２は他の位置に設けられてもよい。
【００６２】
また、蓋体１２の裏側には石鹸を泡立てるためのネットを保持するネット保持機構１２２が設けられるとしたが、特に問題がなければネット保持機構１２２は設けられなくてもよい。また、ネット保持機構１２２は、上述のネットを保持することができる機構であればどんな構成であってもよい。例えば、コの字以外の形状を備えてもよい。また、例えば蓋体１２の第１の開口部Ｏ１を塞ぐ部分に小窓のように開閉可能な扉を設けるとともにその内側に多数の孔を有する壁面で構成されるポケットを設け、蓋体１２を本体１１に係着し第１の開口部Ｏ１を塞いた状態でその扉を開いて、ネットを出し入れ可能としてもよい。
【００６３】
また、密封用枠１４は、本体１１と蓋体１２とを水密に封止するという目的を果たすことができれば、無くてもよいしもしくは代わりの構成が用いられてもよい。
【００６４】
以下、上述の実施形態の変形例について説明する。なお、以下の説明においては、上述の実施形態との差異を中心に記述する。
（変形例１）
【００６５】
図８は、本変形例にかかる容器１の外観図である。
【００６６】
上述の実施形態においては、係合部１２１の容器１の長手方向における両側には切り込みが入っており、この切り込みがあることによって蓋体１２の第１の開口部Ｏ１に対応する部分と第２の開口部Ｏ２に対応する部分とが各々独立に開閉可能となっていた。
【００６７】
本変形例は、蓋体１２に上述の切り込みが設けられておらず、蓋体１２は第１の開口部Ｏ１に対応する部分と第２の開口部Ｏ２に対応する部分とが独立にではなく同時に一体的に開閉される。
【００６８】
その結果、本体１１および蓋体１２の構造を簡単なものにすることができる。つまり、本体１１は第１の突起１１２および第２の突起１１３を備えず、蓋体１２は係合部１２１および凹み部１２３を備えない。そして、本体１１と蓋体１２の各々に弾性の異なる樹脂素材を用いることで、本体１１の壁面上部が蓋体１２の下面外縁部に設けられた溝に嵌め込まれることで互いに係着し、内部を外部から水密に封止する構成が採用される。従って、密封用枠１４は不要である。
【００６９】
そして、容器１の使用方法も以下に説明するように容易である。すなわち、石鹸を使用した後には当該石鹸を第１の空間Ｓ１に収容して、図８に示されるように、蓋体１２が第１の開口部Ｏ１のみを覆い第２の開口部Ｏ２を覆わないような相対的位置関係で、蓋体１２を本体１１の上に配置する。その状態で蓋体１２と本体１１との位置が変わらないように容器１を手で持ち、容器１を第２の開口部Ｏ２が下側になるようにして当該手で振ることにより、上述の石鹸から分離された水が遠心力もしくは慣性力で第２の空間Ｓ２を介して第２の開口部Ｏ２から排出される。
【００７０】
なお、本体１１と蓋体１２との係着に寄与する他の構成を採用することは自由である。例えば、上述の実施形態におけるように、本体１１および蓋体１２の各々に第２の突起１１３および凹み部１２３を設け、それらを互いに係合させる構成が採用されてもよい。
（変形例２）
【００７１】
図９は、本変形例にかかる容器の外観図である。
【００７２】
上述の実施形態においては、第２の開口部Ｏ２は第２の空間Ｓ２の上面に設けられるものとされていた。
【００７３】
本変形例は、図９に示されるように、円筒状の孔である第２の開口部Ｏ２が、第２の空間Ｓ２を形成する第２の壁面群における容器１の長手方向と垂直な方向の外側面に設けられ、容器１の密封時等には第２の開口部Ｏ２を栓１２ｂが塞ぐ構成を採用する。なお、この栓１２ｂは本体１１の上部の開口部を塞ぐ蓋体１２ａとともに開口部を水密に封止する蓋体の一部を構成する。
【００７４】
このような構成を有することにより、ユーザは容易に容器１を密封状態から第２の開口部Ｏ２からの水の排出が可能な状態にすることができる。
【００７５】
すなわち、石鹸を使用した後には当該石鹸を第１の空間Ｓ１に収容して、蓋体１２ａを本体１１に係着させる。そして、上述の栓１２ｂを第２の開口部Ｏ２から外して、容器１を第２の開口部Ｏ２が下側になるようにして手で持って振ることにより、上述の石鹸から分離された水が遠心力もしくは慣性力で第２の開口部Ｏ２から排出される。
【００７６】
なお、上述の栓１２ｂは、第２の開口部Ｏ２からの着脱が可能な状態で鎖等によって本体１１に常時取り付けられていることが望ましい。第２の開口部Ｏ２から外した際に、上述の栓１２ｂを紛失してしまうことを防ぐためである。
【００７７】
また、本変形例において蓋体１２ａは、上述の実施形態の様に第１の開口部Ｏ１に対応する部分が第２の空間Ｓ２の上面に対応する部分から独立して開閉可能な構成を採用してもよいし、上述の変形例１の様に第１の開口部Ｏ１に対応する部分と第２の空間Ｓ２の上面に対応する部分とが同時に一体的に開閉する構成を採用してもよい。
【産業上の利用可能性】
【００７８】
本発明にかかる容器は、石鹸のみでなく、例えばブルーベリーやレタス等の食品等を収容する際にも便利である。例えばブルーベリーを第１の空間に収容した状態で容器を冷蔵庫等に保存すれば、当該ブルーベリーから分離された水が仕切部を通って第１の空間から第２の空間へと移動しそこで貯蔵されることにより、当該ブルーベリーが長時間水に浸って傷んでしまうことを防ぐことができる。
【００７９】
また、例えば、身体を洗浄するために用いるボディタオルやスポンジ等を使用後に水切りして持ち運ぶ際にも利用可能である。
【００８０】
上述のように、本発明にかかる容器は、水が付着した物を容器に収容する様々なシチュエーションで用いられることが期待される。
【符号の説明】
【００８１】
１…容器、１１…本体、１１１…スリット構成部、１１２…第１の突起、１１３…第２の突起、１２…蓋体、１２１…係合部、１２２…ネット保持機構、１２３…凹み部、１３…仕切部、１４…密封用枠
【図１】
2011063295.tif 000003
【図２】
2011063295.tif 000004
【図３】
2011063295.tif 000005
【図４】
2011063295.tif 000006
【図５】
2011063295.tif 000007
【図６】
2011063295.tif 000008
【図７】
2011063295.tif 000009
【図８】
2011063295.tif 000010
【図９】
2011063295.tif 000011